(57)【要約】【課題】使用時には、物干竿の間隔を広くすることができると共に、収納時には、足掛かりとなる最下部の物干竿の高さ位置を高い位置にすることができる。【解決手段】取付具１に支持体２を摺動可能に取り付け、さらに支持体２に、竿受孔６・６及び長孔の可変竿受孔７を設けた腕杆３を摺動可能かつ回動可能に取り付け、可変竿受孔７を挟むように一対の可動板４・４を腕杆３の長手方向に移動可能に設けてある。可動板４・４には、支持体２の移動溝に摺動可能に係合する当接部８・８をそれぞれ設け、支持体２の移動溝内には、当受部９・９を設け、収納状態においては、当接部８・８が当受部９・９の上面に当接し、可動板４・４は、相対的に腕杆３の上方に移動する。【選択図】図３
2011152359.tif 000002
【特許請求の範囲】
【請求項１】
竿受孔を有し略細長板状の腕杆が、斜め上向き又は水平の少なくともどちらか一方の使用状態と略垂直で竿受孔が支持体から前方に突出した収納状態とに変更することができると共に、略垂直状態の時に支持体に対して摺動可能となっている物干装置において、腕杆には、基端部に腕杆の長手方向に長い可変竿受孔を設けると共に、可変竿受孔を基端部側から覆い得る位置に可動板を腕杆の長手方向に移動可能に取り付けて成り、可動板に当接部を設けると共に支持体に当受部を設け、腕杆が略垂直状態で支持体に対して下方に摺動する時に、腕杆に取り付けられた可動板の当接部が支持体に設けた当受部に当接して、可動板がその位置に止まり腕杆が下方に摺動することによって、可動板が腕杆に対して相対的に上方へ移動して上部の一部を残して可変竿受孔を覆うように構成し、収納状態においては、可動板が腕杆に対して相対的に上方へ移動して、可変竿受孔に挿通され可動板に支持された物干竿が、腕杆の基端部側から遠ざかると共に、使用状態においては、可動板が腕杆の基端部側に移動して、可変竿受孔に挿通され可動板に支持された物干竿が、腕杆の基端部側に近づくように構成したことを特徴とする物干装置。
【発明の詳細な説明】
【技術分野】
【０００１】
本発明は、支持体に腕杆を摺動可能かつ回動可能に取り付けて成る物干装置に関するものである。
【背景技術】
【０００２】
従来より、上記のような物干装置として特開平１０−１３７４９７号発明が提案されており、この発明は、複数の竿受孔を有する腕杆を支持体に回動可能かつ摺動可能に取り付け、腕杆は、斜め上向きの使用状態と垂直で竿受孔が支持体から前方に突出した収納状態とに変更することができると共に、垂直状態の時に支持体に対して摺動可能となっている物干装置である。
【０００３】
また、特開平９−３２７５９６号発明が提案されており、この発明は、複数の竿受孔を有する腕杆を支持体に回動可能かつ摺動可能に取り付け、腕杆は、斜め上向きの使用状態と先端部を残して垂直に支持体に収納される収納状態とに変更することができる物干装置であり、収納状態においては、竿受孔の一部を上部に残して腕杆が支持体の中に挿入される状態になるものであって、竿受孔の物干竿は支持体上端部に当接して保持されるものである。
【先行技術文献】
【特許文献】
【０００４】
【特許文献１】特開平１０−１３７４９７号公報
【特許文献２】特開平９−３２７５９６号公報
【発明の概要】
【発明が解決しようとする課題】
【０００５】
斜め上向き又は水平の少なくともどちらか一方の使用状態と垂直の収納状態に設定できる物干装置においては、収納時に最下部の竿受孔に挿通した物干竿が、取り付けられたベランダの床面から近く低い位置にある場合に、子供が物干竿に足を掛けて昇ってベランダから落下してしまう事故が考えられるため、この足掛かりとなる物干竿の高さ位置が、ベランダの床面から低い位置にあると危険であるという問題を有し、できるだけ高い位置に収納される必要がある。
【０００６】
上記前者の従来例においては、収納時に物干竿の位置を高くするために、腕杆を高い位置で停止させると、腕杆上端の竿受孔に挿通された物干竿がベランダ上部から突出し、取り付けられたマンションや住宅の外観を損なうという問題がある。また、腕杆最下部の竿受孔を高い位置に設けると、使用時に、腕杆の基端部近傍に洗濯物を干すことができないため、物干スペースが減少してしまう問題や、上部の竿受孔との距離が近くなるため、竿受孔に挿通する物干竿の間隔が狭くなり、風通しが悪くなって洗濯物が乾きにくくなるという問題がある。
【０００７】
さらに、上記後者の従来例においては、腕杆が支持体の中に収納されるので、支持体の断面が大きくなってコスト高になるし、体裁もよくないという問題がある。本発明は、これらの問題を解決することを課題とするものである。
【課題を解決するための手段】
【０００８】
本発明は上記の問題を解決するために、竿受孔を有し略細長板状の腕杆が、斜め上向き又は水平の少なくともどちらか一方の使用状態と略垂直で竿受孔が支持体から前方に突出した収納状態とに変更することができると共に、略垂直状態の時に支持体に対して摺動可能となっている物干装置において、腕杆には、基端部に腕杆の長手方向に長い可変竿受孔を設けると共に、可変竿受孔を基端部側から覆い得る位置に可動板を腕杆の長手方向に移動可能に取り付けて成り、可動板に当接部を設けると共に支持体に当受部を設け、腕杆が略垂直状態で支持体に対して下方に摺動する時に、腕杆に取り付けられた可動板の当接部が支持体に設けた当受部に当接して、可動板がその位置に止まり腕杆が下方に摺動することによって、可動板が腕杆に対して相対的に上方へ移動して上部の一部を残して可変竿受孔を覆うように構成し、収納状態においては、可動板が腕杆に対して相対的に上方へ移動して、可変竿受孔に挿通され可動板に支持された物干竿が、腕杆の基端部側から遠ざかると共に、使用状態においては、可動板が腕杆の基端部側に移動して、可変竿受孔に挿通され可動板に支持された物干竿が、腕杆の基端部側に近づくように構成したものである。
【発明の効果】
【０００９】
以上のように本発明によれば、使用状態においては、可変竿受孔に挿通された物干竿が、腕杆の基端部側に近づいてそこに洗濯物を干すことができるので、物干スペースが減少することがなく、また腕杆の先端側の竿受孔に挿通する物干竿との間隔が広くなり、風通しが良好になり洗濯物が乾きやすくなると共に、収納時には、可変竿受孔に挿通された物干竿が、腕杆の基端部側から遠ざかるので、足掛かりとなるこの最下部の物干竿の高さ位置が高い位置になり、取り付けられたベランダ等から子供が物干竿を足掛かりとして落下する危険性を低減することができるという効果がある。
【図面の簡単な説明】
【００１０】
【図１】使用状態を示す全体側面図である。
【図２】収納状態を示す全体側面図である。
【図３】収納状態を示す支持体及び腕杆の側面図である。
【図４】図１のＡ−Ａ線拡大断面図である。
【図５】支持体上部の縦断面図である。
【図６】支持体を取付具に対して最も高く上げた状態における取付具と支持体との係止状態を示す縦断面図である。
【図７】図３のＢ−Ｂ線拡大断面図である。
【図８】図７のＣ−Ｃ線断面図（可動板が最も上がった状態）である。
【図９】可動板が最も下がった状態の図８に相当する断面図である。
【図１０】図８のＤ−Ｄ線拡大断面図である。
【図１１】図９のＥ−Ｅ線拡大断面図である。
【図１２】支持体と蓋具の分解斜視図である。
【図１３】腕杆と可動板の分解斜視図である。
【実施例１】
【００１１】
本実施例は、ベランダ手摺Ｔに固定ねじ２４で固着される裏基板２２に取付具１をボルト２３・２３で固着し、この取付具１に支持体２を摺動可能に取り付け、さらに支持体２に、腕杆３を摺動可能かつ回動可能に取り付けて成るものである。
【００１２】
取付具１は、押し出し材で、前部に両側外方に突出する被抱持突条２５・２５を設け、後部に裏基板２２への取付部を設けてある。取付具１の下部には、回動可能な係合具１５をばね１６で前方へ突出するよう付勢して取り付け、下端部に設けた操作部２６を押すことによってこの係合具１５をばね１６に抗して回動・後退させることができるようになっている。
【００１３】
支持体２は、縦長柱状の押し出し材で、前端部に相対向するように断面略コ字状の移動溝１１・１１を設け、後端部に断面略蟻溝状の抱持溝１２を設けると共に、抱持溝１２の底面中央に凹溝１３を設けその底板に係合具１５が係合する複数の係止孔１４・・・１４を間隔をおいて設け、さらに、移動溝１１・１１の後方に断面略蟻溝状のガイド部１０を設けてある。なお、支持体２は、請求項１記載の構成要件を満たす構造であればよく、例えば略直方体状であってもよい。
【００１４】
支持体２のガイド部１０内には、高さ位置が変更可能な停止具１７・１７が取り付けられ、移動溝１１・１１内には、当受部９・９が取り付けられている。
【００１５】
支持体２の上端は斜めに切断してあり、そこに受板２１を固定し、さらに蓋具５を被着してある。蓋具５は、支持体２の一部であり、上方の一部及び前方が開口しており、相対向する内面には、略中央に一段低くなった略扇状の溝１８・１８を設けると共に、前端上部に内方に突出する一対の受止突起２０・２０を設けて、その後ろ側に相対向するように断面略コ字状の移動溝３１・３１を設け、さらにその後ろ側にガイド部３０を設けてある。
【００１６】
取付具１の被抱持突条２５・２５を支持体２の抱持溝１２で抱持させて支持体２を取付具１にスライド可能に取り付け、取付具１に取り付けた係合具１５が支持体２の係止孔１４・・・１４のいずれかに係止して停止できるようになっている。
【００１７】
支持体２を下方に移動するには、係合具１５の先端に突起があるので、その突起をよけるまで支持体２を持ち上げ、操作部２６を押して係止孔１４から係合具１５の係合を外し、支持体２を下方へ移動させ、適当な係止孔１４の位置で操作部２６を放せば、ばね１６により係合具１５が前方へ回動し別の係止孔１４に係合して下方調整できる。
【００１８】
また、支持体２を上方に移動するには、操作部２６を押さなくても単に支持体２を持ち上げれば、係止孔１４の下縁が係合具１５を回動・後退させるので移動でき、別の係止孔１４のところで係合具１５がばね１６により前方へ回動した時に、支持体２を放せばその係止孔１４に係合具１５が係合し上方調整できる。
【００１９】
腕杆３は、略細長板状で物干竿３２を挿通できる２つの竿受孔６・６と１つの可変竿受孔７を設けると共に、基端部を除く周縁、すなわち平行な長辺とその２本の長辺を結ぶ先端部の半円弧状の短辺に、厚み方向に突出するレール部２７を設けてある。また、レール部２７には、腕杆３が垂直状態の時に支持体２側になる長辺の基端部にさらに厚み方向に突出する抜止突起１９・１９を設けてある。
【００２０】
可変竿受孔７は、腕杆３の長手方向に長く、両端部が半円弧状に凸状となった略トラック状の長孔で、その可変竿受孔７を挟むように、かつ腕杆３の両長辺に設けたレール部２７の間に、一対の可動板４・４を長手方向に移動可能に取り付けてある。
【００２１】
可動板４・４は、先端側の短辺が半円弧状に凹状となり、基端側の短辺が斜めになった細長い板状体で、先端部の裏面に、基端側が半円弧状に凸状で厚さが厚くなった肉厚部２８・２８をそれぞれ設けてある。また、可動板４・４には、収納時に支持体２の中に挿入される側の先端部に外方に突出する長方形の板状の当接部８・８をそれぞれ設けてある。この当接部８・８は、支持体２の移動溝１１・１１及び蓋体５の移動溝３１・３１に摺動可能に係合する。
【００２２】
そして、この一対の可動板４・４は、腕杆３の可変竿受孔７の中で互いの肉厚部２８・２８を当接させ、ねじ２９で両者を合体させて、可変竿受孔７を挟むように、腕杆３に長手方向に移動可能な状態に取り付けられる。
【００２３】
腕杆３は、図２に示すように垂直となった収納状態では、レール部２７が蓋具５のガイド部３０に摺動可能に係合すると共に、抜止突起１９・１９が支持体２のガイド部１０に摺動可能に係合し停止具１７・１７の上面に当接している（図８参照）。そしてこの状態においては、可動板４・４の当接部８・８が支持体２の移動溝１１・１１に係合し当受部９・９の上面に当接しており（図３、図７及び図８参照）、可動板４・４は、腕杆３の上方に相対的に移動し、可変竿受孔７の上部の一部を除く大半部を基端部側から覆っており、側面から見える可変竿受孔７の長さが最も短い状態で、可変竿受孔７に挿通され可動板４・４に支持された物干竿３２は、ベランダの床面から高い位置に保持されることになる（図２及び図３参照）。なお。図２の状態では、支持体２を取付具１に対して最も低い位置に設定している。
【００２４】
この収納状態から腕杆３を上方へ摺動させると、可動板４・４は、最初は腕杆３と共に上方へ摺動せず（自重によりその位置に止まっている）、腕杆３だけが上方へ摺動し、可動板４・４は、相対的に腕杆３の基端部側に近づいていき（当接部８・８は当受部９・９にまだ当接した状態のままである）、側面から見える可変竿受孔７の長さが短い状態（図８及び図１０参照）から、徐々に長くなっていく。
【００２５】
そして、可動板４・４の肉厚部２８・２８が可変竿受孔７の下縁に当接すると、可動板４・４が腕杆３の基端部側に最も近づき、可変竿受孔７が側面から最も長く見える状態、すなわち可動板４・４が腕杆３の最下方に移動した状態（図９及び図１１参照）になる。
【００２６】
この状態になると、肉厚部２８・２８が可変竿受孔７の下縁に当接しているので、可動板４・４も腕杆３と共に上方へ移動し、当接部８・８は、支持体２の移動溝１１・１１内を上方へ移動し当受部９・９から離れ、さらに移動溝１１・１１から外れ蓋具５の移動溝３１・３１に係合し、そしてそこから上方へ抜け出て、さらに腕杆３を上方へ摺動させると、抜止突起１９・１９がガイド部１０から外れ、抜止突起１９・１９が蓋具５の溝１８・１８の上の円弧状の縁に当接しながら、腕杆３は前方へ回動する。
【００２７】
そして、腕杆３の基端面（下端面）が受板２１に当接し、抜止突起１９・１９が蓋具５の上板及び溝１８・１８の縁に当接し（図５参照）、レール部２７が受止突起２０・２０に当接して、腕杆３は斜め上向きの使用状態に停止し、可変竿受孔７に挿通された物干竿３２が、腕杆３の最も基端側に移動した可動板４・４先端縁に当接している状態となり、腕杆３の先端部の竿受孔６に挿通された物干竿３２との距離が大きくなる（図１参照）。なお。図１の状態では、支持体２を取付具１に対して最も高い位置に移動して設定している。
【００２８】
また、この使用状態から腕杆３を上方へ回動させ垂直にして下方へ摺動させると、腕杆３のレール部２７が蓋体５のガイド部３０に係合し、抜止突起１９・１９が支持体２のガイド部１０に係合し、さらに可動板４・４の当接部８・８が蓋具５の移動溝３１・３１に係合し、続いて支持体２の移動溝１１・１１に係合する。さらに腕杆３を下方へ摺動させると、可動板４・４の当接部８・８が当受部９・９に当接して、可動板４・４は、下方へ摺動せずその位置に止まって腕杆３はさらに下方へ摺動し、その結果可動板４・４は、相対的に腕杆３の上方に移動し、可変竿受孔７を下方から覆い始め、抜止突起１９・１９が停止具１７・１７の上面に当接すると、腕杆３もその位置に止まり、可動板４・４は、腕杆３の基端部側から最も遠ざかり、可動板４・４によって可変竿受孔７が側面から最も短く見える収納状態となる（図８参照）。
【符号の説明】
【００２９】
２    支持体
３    腕杆
４    可動板
６    竿受孔
７    可変竿受孔
【図１】
2011152359.tif 000003
【図２】
2011152359.tif 000004
【図３】
2011152359.tif 000005
【図４】
2011152359.tif 000006
【図５】
2011152359.tif 000007
【図６】
2011152359.tif 000008
【図７】
2011152359.tif 000009
【図８】
2011152359.tif 000010
【図９】
2011152359.tif 000011
【図１０】
2011152359.tif 000012
【図１１】
2011152359.tif 000013
【図１２】
2011152359.tif 000014
【図１３】
2011152359.tif 000015